(57)【要約】      （修正有）【要  約】【課  題】レジ袋が装着される広口浅底の本体容器とレジ袋の広いはみ出し部分を遮蔽して本体容器をカバーする筒状カバーとから構成された生ゴミ入れにおいて、調理クズを落し入れ易くできる生ゴミ入れを提供する。【解決手段】生ゴミ入れは、レジ袋が装着される本体容器１０、レジ袋の広いはみ出し部分を遮蔽して本体容器をカバーする筒状カバー部２０、拡大開口３１と漏斗状部３２を備えた拡大開口部３０及び蓋４０とで構成された生ゴミ入れであって、拡大開口部は円筒状カバー部２０に着脱可能に結合されている。【選択図】図１
0003222162.tif 000002
【実用新案登録請求の範囲】
【請求項１】
レジ袋が装着された広口浅底の本体容器と筒状カバーとで構成された生ゴミ入れにおいて、
前記筒状カバーは、レジ袋の広いはみ出し部分を収容する環状隙間を前記本体容器との間に形成して前記本体容器をすっぽりカバーする筒状カバー部と、生ゴミの落し入れ口として機能する拡大開口部とで構成されていることを特徴とする生ゴミ入れ。
【請求項２】
前記本体容器を調理用ボウルの如き形状の容器とし且つ前記筒状カバー部を円筒状カバー部とすることによって、前記環状隙間を形成したことを特徴とする請求項１に記載の生ゴミ入れ。
【請求項３】
前記本体容器を炊飯器の内釜の如き形状の容器とし且つ前記筒状カバー部を円錐台型筒状カバー部とすることによって、前記環状隙間を形成したことを特徴とする請求項１に記載の生ゴミ入れ。
【考案の詳細な説明】
【技術分野】
【０００１】
本考案は、レジ袋を装着して使用する生ゴミ入れに関し、特に調理の際に出る野菜、果物、肉、魚などの調理クズをまな板や皿などからそのまま落し入れることができる生ゴミ入れに関する。
【背景技術】
【０００２】
主婦にとって、調理の際に出る野菜、果物、肉、魚などの調理クズの取り扱いは結構面倒である。調理クズは水分を含んでいるので、レジ袋を使わない一般的なゴミ箱に投入することはできない。このため、シンク内の隅に設置された生ゴミ入れに調理クズを投入することになる。
【０００３】
シンク内の隅に設置される生ゴミ入れの代表的なものは、三角コーナーと呼ばれるプラスチック製やステンレス製の水切り容器である。三角コーナーは、調理の際に出る野菜クズなどの調理クズ、食べ残した残飯等の生ゴミを投入できる便利なものである。
【０００４】
しかしながら、三角コーナーは生ゴミから出た液体や食器等を洗う際に飛び散る水によって、ぬめりのある汚れで覆われてしまう。このため、生ゴミがたまったプラスチック製ネットをゴミ収集用レジ袋に移した後は、ぬめりのある汚れを三角コーナーから洗い落とさなければならない。これは主婦にとって可能ならばやりたくない日常作業である。
【０００５】
シンク内の隅に設置される生ゴミ入れとして近年登場してきたのが、高密度ポリエチレンシートで作られた自立型生ゴミ入れである。この自立型生ゴミ入れへの生ゴミの投入のし易さは三角コーナーと変わらないが、ゴミ入れを洗う必要がないというメリットがある。即ち、自立型生ゴミ入れはその中に投入された生ゴミと一緒にゴミ収集用レジ袋に移すことができるからである。
【０００６】
上述の三角コーナーも自立型生ゴミ入れも広く使われているから、間違いなく実用的な生ゴミ入れである。ところが、これらの生ゴミ入れは、生ゴミの臭気が外に排出することを阻止できなこと、及び、ハエやコバエの侵入を防げないという構造上の本質的な問題がある。
【０００７】
更に、シンク内に設置して使用される生ゴミ入れは、必然的に生ゴミの水分量を増やすという問題もある。この生ゴミ入れには食器や食材を洗う際に必然的に水がかかるので、生ゴミ入れ内の生ゴミは水分量が増え、その結果、生ゴミの重量が２０％程度も増えている。地球温暖化防止は国際的な喫緊の課題であり、これに呼応して収集作業と焼却の費用削減、ひいてはＣＯ２の削減のために、家庭ゴミの量を減らすことが自治体の大きな課題になっている。このことに鑑みれば、シンク内に設置して使用される生ゴミ入れを廃止して、生ゴミ量を削減することによる効果は、家庭内の節電効果に勝るとも劣らないと考える。しかしながら、これに代わる台所用生ゴミ入れが殆どない状況である。
【０００８】
上述の問題点を有しながらも、シンク内に設置して使用される生ゴミ入れが広く使われているのは、調理クズの投入の仕方と関係が深い。即ち、一般に、調理クズはまな板に塊となって残され、又は調理用ボウル等に落し入れられて塊となっている。この状態でまな板や調理用ボウル等は三角コーナーの上まで持ってこられ、そこから調理クズの塊を落し入れる。シンク内に設置して使用される生ゴミ入れは広口浅底のゴミ入れであるから、上述の調理クズをくず入れに落し入れる行為に適しているのである。
【０００９】
そこで、特許文献１や特許文献２に開示の構造を採用した生ゴミ入れが開発され、現に市販されている。この従来の生ゴミ入れは、シンクの外に設置して使用されるものであって、レジ袋が装着される広口浅底のゴミ箱本体と、このゴミ箱本体に被せられるカバーであって、蝶番で開閉される開閉蓋を備えた蓋付カバーとで構成されている。
【００１０】
ところで、装着されるレジ袋はゴミ箱本体の広い開口に対応したものでなければならないので、ゴミ箱本体よりも容量が大きいサイズのものとなってしまう。このため、広口浅底のゴミ箱本体を採用すると、ゴミ箱本体の外側を全て覆う程の広いはみ出し部分が出てくるのである。特許文献１や特許文献２に開示の従来考案では、蓋付カバーによって、このレジ袋の広いはみ出し部分が外から見えないようしている。
【００１１】
この従来の生ゴミ入れは、シンク内に設置して使用される生ゴミ入れと同じく広口浅底のゴミ入れであるから、調理クズをくず入れに落し入れる主婦の行為に適している。しかも、レジ袋が外から見えないので意匠性が高く、且つ調理台の何処にでも置けるものである。しかしながら、この従来の生ゴミ入れは、構造が複雑なため、シンク内に設置して使用される生ゴミ入れに代替される程に使い易いものではない。
【先行技術文献】
【特許文献】
【００１２】
【特許文献１】意匠登録第１５１３６５２号公報
【特許文献２】意匠登録第１５２２９４２号公報
【考案の概要】
【考案が解決しようとする課題】
【００１３】
特許文献１に開示の構造を採用した「チューブラー・フラット２０」の商品名で市販されているキッチン用ゴミ入れは、その直径は１９．５センチメートル、高さは約１２センチメートル、容積は２．２リットルと公表されている。そのゴミ落し入れ口はカバーの上端開口であるから、その開口面積は上端開口の面積と同じである。実際に調理台の上において使用してみると、上記の高さと開口面積のゴミ落し入れ口は調理ゴミを落し入れるのに適したものであることが分かった。
ところが、従来のゴミ入れでは、高さを変えないでゴミ貯留容量を例えば半分にすれば、ゴミの落し入れ口の開口面積は必然的に半分になってしまう。ゴミの落し入れ口の開口面積が小さくなると、ゴミ落し入れがし難くなる。これが、従来のゴミ入れの構造上の問題である。
そこで、本考案は従来のゴミ入れの上述の問題を解決することを目的とする。
即ち、本考案が解決しようとする第１の課題は、レジ袋が装着される広口浅底の本体容器とレジ袋の広いはみ出し部分を遮蔽して本体容器をカバーする筒状カバーとから構成された生ゴミ入れにおいて、前記本体容器の貯留容量を小さくしても調理クズの落し入れが容易な生ゴミ入れを提供することである。
本考案が解決しようとする第２の課題は、前記構成の生ゴミ入れにおいて、レジ袋の広いはみ出し部分を簡単に収納することである。
なお、本明細書で、レジ袋の広いはみ出し部分とは、広口浅底の本体容器の外側を全部若しくは殆ど覆う程の広いはみ出し部分という意味である。
【課題を解決するための手段】
【００１４】
上記第１の課題を解決するために、レジ袋が装着された広口浅底の本体容器と筒状カバーとで構成された生ゴミ入れにおいて、前記筒状カバーを前記本体容器をすっぽりカバーする筒状カバー部と、生ゴミの落し入れ口として機能する拡大開口部とで構成した。
上記第２の課題を解決するために、レジ袋が装着される広口浅底の本体容器の外周面と筒状カバー部材の内周面との間の環状隙間を下方に向かって漸増するように生ゴミ入れを構成した。
【考案の効果】
【００１５】
本考案に係る生ゴミ入れは、広口浅底の本体容器のゴミ貯留容量を小さくしても、調理台の上に置いて使用し易い高さを確保しながら、ゴミの落し入れ口の開口面積を使い易い大きさにすることができるものである。それ故、調理台の上に置いて使用し易い小容量の生ゴミ入れが実現したのである。
また、レジ袋が装着された広口浅底の本体容器と筒状カバーとで構成された生ゴミ入れにおいて、前記筒状カバーをレジ袋の広いはみ出し部分を収容する環状隙間を前記本体容器との間に形成して前記本体容器をすっぽりカバーする筒状カバー部と生ゴミの落し入れ口として機能する拡大開口部とで構成したことによって、高台付の大皿や大杯の如き外観の生ゴミ入れ、従って大型キッチングッズと調和するデザインの生ゴミ入れが実現したのである。
【図面の簡単な説明】
【００１６】
【図１】調理用ボウルの如き本体容器、別体の拡大開口部が着脱可能に結合された円筒状カバー、及び蓋で構成された実施例１の生ゴミ入れの断面図である。
【図２】小径の結合開口を備えた拡大開口部の断面図である。
【図３】実施例１の生ゴミ入れの分解図である。
【図４】実施例１の生ゴミ入れの斜視図である。
【図５】蓋を取り外して示した実施例１の生ゴミ入れの斜視図である。
【図６】調理用ボウルの如き本体容器、拡大開口部が一体に結合された筒状カバー、及び蓋で構成された実施例２の生ゴミ入れの断面図である。
【図７】実施例２の生ゴミ入れの斜視図である。
【図８】蓋を取り外して示した実施例２の生ゴミ入れの斜視図である。
【図９】炊飯器の内釜の如き本体容器、拡大開口部が一体に結合された円錐台型筒状カバー、及び蓋で構成された実施例３の生ゴミ入れの断面図である。
【図１０】実施例３の生ゴミ入れの斜視図である。
【図１１】蓋を取り外して示した実施例３の生ゴミ入れの斜視図である。
【図１２】レジ袋が装着された本体容器の斜視図である。
【考案を実施するための形態】
【００１７】
本考案に係る生ゴミ入れはレジ袋が装着される広口浅底の本体容器１０、レジ袋のはみ出し部分を遮蔽して本体容器１０をカバーする筒状カバー部２０、筒状カバー部２０に結合された拡大開口部３０及び拡大開口部３０の拡大開口３１を封止する蓋４０とで構成されている。
【実施例１】
【００１８】
実施例１の生ゴミ入れは、調理用ボウルの如き本体容器、別体の拡大開口部が着脱可能に結合された円筒状カバー部、及び蓋で構成されている。
【００１９】
即ち、実施例１の生ゴミ入れは、図１の断面図、図３の分解図、及び図４と図５の斜視図に示す如く、本体容器１０、拡大開口部３０が着脱可能に結合された円筒状カバー部２０、及び蓋４０とで構成された生ゴミ入れである。
【００２０】
本体容器１０は上部開口から底面に向かって外側面が漸減する広口浅底の容器で、例えば外径２０ｃｍ、高さ１０ｃｍの調理用ボウルの如き容器である。
【００２１】
筒状カバーは、筒状カバー部２０と拡大開口部３０の２つの部材で構成されている。筒状カバー部２０は開口２１、内周面２２、外周面２３及び円環状縁部２４を備えた円筒部材であって、本体容器１０をすっぽりカバーするサイズの円筒体である。
【００２２】
拡大開口部３０は、生ゴミの落し入れ口となる拡大開口３１、漏斗状部３２、結合開口３３、円環状縁部３４及び結合筒部３５を備えた漏斗状部材である。結合筒部３５は漏斗状部３２の下端部に形成された円筒部であって、その内径は筒状カバー部材２０の外周面の上端部２５と着脱可能に嵌合する大きさである。結合開口３３は、筒状カバー部２０の開口２１と同じ内径であるが、必ずしも同じにする必要はない。例えば、図２に示す如く、結合開口３３を筒状カバー部２０の開口２１よりも小さくすれば、生ゴミの落し入れの際に、先に落し入れた生ゴミがかなり隠れるというゴミ隠し効果が得られる。
【００２３】
蓋４０は、円筒部４２と天板部４３とを備えた筒蓋である。円筒部４２の内径は拡大開口部３０に着脱可能に嵌合する大きさであり、その高さは拡大開口部３０と同じ高さである。
【００２４】
図１に示す生ゴミ入れの組み立てかたを、図３の分解図を参照して説明する。先ず、利用者はレジ袋５０を本体容器１０に装着する。レジ袋５０が装着された本体容器１０は、例えば図１２の斜視図に示す如くである。レジ袋５０は本体容器１０に対応したサイズのものが選ばれるから、装着されたレジ袋５０のはみ出し部分は本体容器１０の外周面を広く覆うことになる。
【００２５】
続いて、利用者はレジ袋５０が装着された本体容器１０に筒状カバー部２０を被せ、更に続いて拡大開口部３０の結合筒部３４を筒状カバー部２０の上端部２５に嵌合させ、拡大開口部３０を筒状カバー部２０に結合する。これだけの作業で、実施例１の生ゴミ入れの組み立てが完了する。
【００２６】
上述の如く組み立てられた実施例１の生ゴミ入れは、蓋４０を取り外して生ゴミの落し入れを行える状態を斜視図で示せば、図５に示す如く、高台付の大皿や大盃のようである。また、蓋４０を被せた状態を斜視図で示せば、図４に示す如く炊き立てのご飯の保温容器であるお櫃のように見える。
【００２７】
（生ゴミの落し入れの容易性）
図１の断面図から分かる通り、実施例１の生ゴミ入れの拡大開口部３０の拡大開口３１は筒状カバー部２０の開口２１よりも大きく、開口面積で約２倍の大きさである。直径は４割弱増加しているだけであるが、開口面積は大幅に増加しているのである。換言すれば、実施例１の生ゴミ入れにおいては、ゴミ貯留容量を小さくしても、生ゴミ落し入れの開口面積を大きくすることができるのである。これは筒状カバー部２０に拡大開口部３０を備えたからである。
また、図５の斜視図からは、視覚的にも生ゴミ落し入れの開口が大きいこと、そして高台付の大皿や大盃のような外観であることが分かる。実施例１の生ゴミ入れは、上述の如き外観と、視覚的にも拡大が認識できる大きな開口面積の拡大開口部を備えているので、利用者は落し入れのミスを気にしないで調理クズなどの生ゴミを落し入れることがでる。
【００２８】
（汚れの洗浄の容易性）
生ごみの落し入れによって拡大開口部３０の漏斗状部３２の表面は汚れるが、この汚れの洗浄は簡単である。拡大開口部３０を取り外して、調理に使用した調理器具や食器と同じように洗浄するだけで済むからである。
【００２９】
（封止性）
実施例１の生ゴミ入れは、拡大開口部３０の拡大開口３１に蓋４０を被せることによって封止されている。本考案に係る生ゴミ入れは、生ゴミを長期間にわたって保管するものではないので、封止は拡大開口部３０の拡大開口３１の水平な環状端面と筒蓋である４０の天板部４３の対応する内面とが面接触することによって実現されている。このような簡単な封止方法が採用されているのは、実施例１の生ゴミ入れは、１回ないし２回の調理の際に生じる調理クズを収容できる程度の容積しかないものであるからである。本体容器に装着されたレジ袋内に収容された生ゴミは、多くの場合は半日程度で回収され、その後は数日間保管できる大きな家庭用ゴミ箱に移される。このような使い方をされる生ゴミ入れであるから、密封する程の封止性は必要ないのである。
【００３０】
（レジ袋のはみ出し部分の収納の容易性）
レジ袋の広いはみ出し部分は、実施例１の生ゴミ入れにおいては、本体容器１０の外周面と筒状カバー部２０の内周面との間に形成された断面三角形の環状隙間Pに収納されている。即ち、図１の断面図に示す如く、本体容器１０は上部開口から底面に向かって側面が漸減する広口浅底の容器であり、そして筒状カバー部２０は円筒部材であるから、本体容器１０の外周面と筒状カバー部２０の内周面との間には断面三角形の環状隙間Pが形成されている。従って、上述のレジ袋の広いはみ出し部分は、この広い環状隙間Pに残らず簡単に収納されることになる。
【００３１】
（意匠性）
実施例１の生ゴミ入れにおいては、レジ袋の広いはみ出し部分は環状隙間Pに全て収納されて外部から完全に遮蔽されている。また、実施例１の生ゴミ入れは図４と図５の斜視図に示す如く、一般的なゴミ箱やゴミ入れの外観とは全く異なり、調理器具の一つと見間違える程の外観を呈している。従って、実施例１の生ゴミ入れは意匠的に優れており、調理台の上に置いて使用して全く違和感がないものである。
【実施例２】
【００３２】
実施例２の生ゴミ入れは、図６の断面図及び図７と図８の斜視図に示す如く、調理用ボウルの如き本体容器１０、生ゴミの落し入れ口となる拡大開口３１を備えた拡大開口部３０が筒状カバー２０部に一体に結合された筒状カバー、及び蓋４０で構成された生ゴミ入れである。
【００３３】
筒状カバーは、筒状カバー部２０と拡大開口部３０の１つの部材で構成されている。筒状カバー部２０は開口２１、内周面２２、外周面２３及び円環状縁部２４を備え、本体容器１０をすっぽりカバーするサイズの円筒体である。拡大開口部３０は生ゴミの落し入れ口となる拡大開口３１と漏斗状部３２を備えており、筒状カバー部２０の上端に一体に結合されている。
【００３４】
蓋４０は、断面が逆台形の円盤状平蓋であり、取っ手４３を備えている。
【００３５】
実施例２の生ゴミ入れは、実施例１と比較すると、筒状カバー部と拡大開口部が別体でなく一体に結合されていること、及び、蓋が円盤状平蓋であることの２つが相違するだけである。このため、外観は多少異なるが、機能は同じである。
【００３６】
（生ゴミの落し入れの容易性）
実施例２の生ゴミ入れは、図６の断面図及び図８の斜視図から分かる通り、大きな開口面積の拡大開口を備えている。従って、落し入れのミスを気にしないで調理クズなどの生ゴミを落し入れ易い生ゴミ入れである。
【００３７】
（汚れの洗浄の容易性）
生ごみの落し入れによって拡大開口部３０の漏斗状部３２の表面は汚れるが、この汚れの洗浄は簡単である。拡大開口部３０を備えた筒状カバー部２０本体容器１０から取り外して、調理に使用した調理器具や食器と同じように洗浄するだけで済むからである。
【００３８】
（封止性）
実施例２の生ゴミ入れは、拡大開口部３０の拡大開口３１に円盤状平蓋である蓋４０を被せることによって、封止されている。封止は、拡大開口部３０の漏斗状部３２の傾斜面と円盤状平蓋の対応する傾斜側面とが面接触することによって実現されている。
【００３９】
（レジ袋のはみ出し部分の収納の容易性）
実施例２の生ゴミ入れには、実施例１の生ゴミ入れと同じく、広い環状隙間Pが形成されている。従って、レジ袋の広いはみ出し部分は、この広い環状隙間Pに残らず簡単に収納されることになる。
【００４０】
（意匠性）
実施例２の生ゴミ入れにおいては、レジ袋の広いはみ出し部分は環状隙間Pに全て収納されて外部から完全に遮蔽されている。また、実施例２の生ゴミ入れは、斜視図７と斜視図８に示す如く、一般的なゴミ箱やゴミ入れの外観とは全く異なり、調理器具の一つと見間違える程の外観を呈している。従って、実施例２の生ゴミ入れも意匠的に優れており、調理台の上に置いて使用して全く違和感がないものである。
【実施例３】
【００４１】
実施例３の生ゴミ入れは、炊飯器の内釜の如き本体容器、拡大開口部が一体に結合された筒状カバー、及び蓋で構成された生ゴミ入れである。
【００４２】
即ち、実施例３の生ゴミ入れは、図９の断面図及び図１０と図１１の斜視図に示す如く、炊飯器の内釜の如き本体容器１０、生ゴミの落し入れ口となる拡大開口３１を備えた拡大開口部３０が一体に結合された筒状カバー、及び蓋４０で構成された生ゴミ入れである。蓋４０は、断面が逆台形の円盤状平蓋であり、取っ手４３を備えている。
【００４３】
本体容器１０は外周面が垂直な広口浅底の容器で、例えば５合炊きの炊飯器の内釜の如き形状とサイズの容器である。
【００４４】
筒状カバーは、拡大開口部３０が一体に結合された円錐台型の筒状カバー２０である。円錐台型の筒状カバー部２０は開口２１、内周面２２、外周面２３、及び円環状縁部２４を備えた円錐台型筒状カバーであって、本体容器１０をすっぽりカバーするサイズの筒状体である。拡大開口部３０は拡大開口３１と漏斗状部３２を備えており、筒状カバー部２０の上端に一体に結合されている。
【００４５】
実施例３の生ゴミ入れは、実施例２と比較すると、本体容器が炊飯器の内釜の如き垂直な外周面を有する広口浅底の容器であることと、拡大開口部３０が一体に結合された筒状カバーが円錐台型筒状カバーであることの２つが相違する。このため、外観は多少異なるが、機能は同じである。なお、実施例３の生ゴミ入れにおいて、円盤状平蓋を筒蓋に代えても機能は変わらないことは勿論である。また、実施例３の生ゴミ入れにおいて、円錐台型筒状カバーは、実施例１のように、円錐台型の筒状カバー部２０と拡大開口部３０を２つの部材を着脱可能に結合して構成することもできる。
【００４６】
（生ゴミの落し入れの容易性）
実施例３の生ゴミ入れは、図９の断面図及び図１１の斜視図から分かる通り、大きな開口面積の拡大開口を備えている。従って、落し入れのミスを気にしないで調理クズなどの生ゴミを落し入れ易い生ゴミ入れである。
【００４７】
（汚れの洗浄の容易性）
実施例３の生ゴミ入れは、生ごみの落し入れによって拡大開口部３０の漏斗状部３２の表面は汚れるが、この汚れの洗浄は簡単である。拡大開口部３０を備えた筒状カバー部２０を本体容器１０から取り外して、調理に使用した調理器具や食器と同じように洗浄するだけで済むからである。
【００４８】
（封止性）
実施例３の生ゴミ入れは、拡大開口部３０の開口３１に蓋４０を被せることによって、封止されている。封止は拡大開口部３０の漏斗状部３２の傾斜面と円盤状平蓋である蓋４０の対応する傾斜側面とが面接触することによって実現されている。
【００４９】
（レジ袋のはみ出し部分の収納の容易性）
実施例３の生ゴミ入れは、垂直な外周面を有する広口浅底の容器であり、筒状カバー部２０は円錐台型筒状体であるから、本体容器１０の外周面と筒状カバー部２０の内周面との間には断面三角形の環状隙間Pが形成されている。従って、レジ袋の広いはみ出し部分は、この広い環状隙間Pに残らず簡単に収納されることになる。
【００５０】
（意匠性）
実施例３の生ゴミ入れにおいては、レジ袋の広いはみ出し部分は環状隙間Pに全て収納されて外部から完全に遮蔽されている。また、実施例３の生ゴミ入れは、斜視図１０と斜視図１１に示す如く、一般的なゴミ箱やゴミ入れの外観とは全く異なり、調理器具の一つと見間違える程の外観を呈している。従って、実施例３の生ゴミ入れも意匠的に優れており、調理台の上に置いて使用して全く違和感がないものである。
【符号の説明】
【００５１】
１０  本体容器
１１  開口
１２  内周面
１３  外周面
１４  底面
２０  筒状カバー部
２１  開口
２２  内周面
２３  外周面
２４  円環状縁部
２５  上端部
３０  拡大開口部
３１  拡大開口
３２  漏斗状部
３３  結合開口
３４  円環状縁部
３５  結合筒部
４０  蓋
４１  開口
４２  筒部
４３  天板
４４  取っ手
５０  レジ袋
５１  袋部
５２  提げ手部
５３  結び片部
Ｐ  環状隙間
【図１】
0003222162.tif 000003
【図２】
0003222162.tif 000004
【図３】
0003222162.tif 000005
【図４】
0003222162.tif 000006
【図５】
0003222162.tif 000007
【図６】
0003222162.tif 000008
【図７】
0003222162.tif 000009
【図８】
0003222162.tif 000010
【図９】
0003222162.tif 000011
【図１０】
0003222162.tif 000012
【図１１】
0003222162.tif 000013
【図１２】
0003222162.tif 000014